(57)【特許請求の範囲】
【請求項１】
住戸内に設けられた火災検出手段を有するスプリンクラヘッド及び住宅情報盤と、前記住戸の玄関の近傍に設けられ前記住宅情報盤に接続された戸外表示器とを備え、前記住宅情報盤は、前記スプリンクラヘッドの火災検出手段の状態が変化したときに出力される火災信号を受けて、前記戸外表示器に設けた表示部を点灯させるスプリンクラ消火設備であって、
前記スプリンクラヘッド、住宅情報盤、及び戸外表示器を複数の住戸に対応してそれぞれ設け、
また、前記複数の住戸内に設けられた前記スプリンクラヘッドが接続される配管の基端側に設けられた常閉の起動弁と、
該起動弁の上流側で前記配管に接続された常開で、かつ開閉を手動で行う止水弁と、
前記スプリンクラヘッドの火災検出手段、起動弁及び止水弁に接続され、前記複数の住戸内に設けられた前記スプリンクラヘッドの火災検出手段の状態が変化したときに出力される火災信号を受けて前記起動弁を開放させる制御装置と
を備え、
前記起動弁、止水弁及び制御装置を前記複数の住戸の外部近傍に設けると共に、前記制御装置に前記起動弁が開放したときに点灯する起動弁開表示灯、及び該制御装置から前記起動弁に開放信号を送出したのち所定の時間内に前記起動弁からの応答信号を受信できないときに点灯する起動弁故障表示灯を設け、さらに、前記制御装置に、前記起動弁を開放状態から閉止状態に復帰させる復旧スイッチと、前記止水弁を閉じたときに点灯する止水弁閉表示灯とを設けた
ことを特徴とするスプリンクラ消火設備。
【請求項２】
前記複数の住宅情報盤が接続されて該住宅情報盤と信号のやりとりを行う住棟受信機とを備え、
前記制御装置は、前記スプリンクラヘッドの火災検出手段の状態が変化したときに出力される火災信号を受けて該火災信号を前記住宅情報盤と前記住棟受信機にそれぞれ送出し、また前記起動弁及び止水弁の状態を前記住棟受信機に表示することを特徴とする請求項１記載のスプリンクラ消火設備。
【請求項３】
前記制御装置に、前記複数の住戸内に設けられた前記スプリンクラヘッドの火災検出手段の状態を擬似的に変化させて前記起動弁の試験を行う試験スイッチを設けたことを特徴とする請求項１又は２記載のスプリンクラ消火設備。
【発明の詳細な説明】
【０００１】
【発明の属する技術分野】
本発明は、スプリンクラ消火設備に係り、さらに詳しくは、マンションなどの集合住宅におけるスプリンクラ消火設備に関するものである。
【０００２】
【従来の技術】
従来、マンションなどの集合住宅においては、各住戸の天井等に火災感知器とスプリンクラヘッドが設置されており、火災感知器は各住戸ごとに室内に設置された住宅情報盤に接続され、スプリンクラヘッドは流水検知装置を介して給水源に接続されている。また、流水検知装置からの流水信号は、住宅情報盤に入力するようになっている。
【０００３】
また、各住宅情報盤は、例えばドアホンの如く住戸外において玄関の近傍に設置された戸外表示器に接続されると共に、管理人室等に設置された住棟受信機にそれぞれ接続されている。さらに、住棟受信機には、各階の共用部（例えば、廊下）に設置された火災感知器及びスピーカーが接続されている。
【０００４】
そして、ある階の住戸で火災が発生して火災感知器から当該住戸の住宅情報盤に火災感知器の作動信号が送られると、これを受信した住宅情報盤は、例えば「火災感知器が作動しました。確認して下さい。」というような音声メッセージを発すると共に、戸外表示器に信号を送りランプを点滅させる。
住戸内の人間は、この音声メッセージを聞いたときは室内を点検し、若し火災が発生していないときは、住宅情報盤に設けた復旧スイッチを押して、火災感知器からの信号をＯＦＦする。これにより、戸外表示器のランプの点滅も終了する。
【０００５】
一方、火災が発生していることがわかった場合は、住戸の人間が住宅情報盤の火災断定スイッチを押し、また、人間が不在等で火災断定スイッチが押されない場合は、火災感知器が作動してから所定の時間（例えば２分〜５分）経過したときは、住宅情報盤は火災の発生を確認してその旨を音声で知らせると共に、戸外表示器も音声メッセージを発して他の住戸の人間に知らせる。
【０００６】
また、当該住戸内のスプリンクラヘッドが火災により作動したときは、直ちに消火水を放水する。
さらに、住宅情報盤は住棟受信機に火災信号を送り、これを受信した住棟受信機は、出火階及びその直上階の各住戸の住宅情報盤及び共用部のスピーカーに火災信号を送り、音声により火災の発生を知らせる。
火災が鎮火したときは、管理人などが給水源とスプリンクラヘッドとの間に設けられた止水弁を閉じれば、放水を終らせることができる。
【０００７】
【発明が解決しようとする課題】
上記のような従来の共同住宅におけるスプリンクラ消火設備は、誤報に対処するために、火災感知器が作動しても直ちに火災と判断せず、住戸内の人が火災を確認して住宅情報盤に設けた火災断定スイッチを押すか、又は火災感知器が作動してから数分間なんらの処理もなされなかったときに、はじめて火災と断定して以後の処理を行うようになっており、この間無為に数分間を経過するため、迅速な処理を行うことができなかった。
【０００８】
本発明は、上記の課題を解決するためになされたもので、住宅情報盤とスプリンクラヘッド（又は火災検出手段）との間に制御装置を設けることにより、火災が発生したときは、直ちにこれを確認して起動弁を開放し、スプリンクラヘッドが動作すると直ちに放水することができ、また、制御装置に複数の表示灯を設けて起動弁などの状態を容易に確認できるようにした信頼性の高い集合住宅におけるスプリンクラ消火設備を提供することを目的としたものである。
【０００９】
【課題を解決するための手段】
本発明に係るスプリンクラ消火設備は、住戸内に設けられた火災検出手段を有するスプリンクラヘッド及び住宅情報盤と、前記住戸の玄関の近傍に設けられ前記住宅情報盤に接続された戸外表示器とを備え、前記住宅情報盤は、前記スプリンクラヘッドの火災検出手段の状態が変化したときに出力される火災信号を受けて、前記戸外表示器に設けた表示部を点灯させるスプリンクラ消火設備であって、前記スプリンクラヘッド、住宅情報盤、及び戸外表示器を複数の住戸に対応してそれぞれ設け、また、前記複数の住戸内に設けられた前記スプリンクラヘッドが接続される配管の基端側に設けられた常閉の起動弁と、該起動弁の上流側で前記配管に接続された常開で、かつ開閉を手動で行う止水弁と、前記スプリンクラヘッドの火災検出手段、起動弁及び止水弁に接続され、前記複数の住戸内に設けられた前記スプリンクラヘッドの火災検出手段の状態が変化したときに出力される火災信号を受けて前記起動弁を開放させる制御装置とを備え、前記起動弁、止水弁及び制御装置を前記複数の住戸の外部近傍に設けると共に、前記制御装置に前記起動弁が開放したときに点灯する起動弁開表示灯、及び該制御装置から前記起動弁に開放信号を送出したのち所定の時間内に前記起動弁からの応答信号を受信できないときに点灯する起動弁故障表示灯を設け、さらに、前記制御装置に、前記起動弁を開放状態から閉止状態に復帰させる復旧スイッチと、前記止水弁を閉じたときに点灯する止水弁閉表示灯とを設けたものである。
【００１０】
また、上記のスプリンクラ消火設備において、前記複数の住戸内に設けられた住宅情報盤と、該複数の住宅情報盤が接続されて該住宅情報盤と信号のやりとりを行う住棟受信機とを備え、前記制御装置は、前記スプリンクラヘッドの火災検出手段の状態が変化したときに出力される火災信号を受けて該火災信号を前記住宅情報盤と前記住棟受信機にそれぞれ送出し、また前記起動弁及び止水弁の状態を前記住棟受信機に表示するようにしたものである。
【００１１】
また、上記のスプリンクラ消火設備において、前記制御装置に、前記複数の住戸内に設けられた前記スプリンクラヘッドの火災検出手段の状態を擬似的に変化させて前記起動弁の試験を行う試験スイッチを設けたものである。
【００１５】
【発明の実施の形態】
［実施の形態１］
図１は本発明の実施の形態１に係る集合住宅におけるスプリンクラ消火設備の説明図、図２はその一部の拡大図である。
図において、１は集合住宅の特定の階の一部を示すもので、複数の住戸２ａ，２ｂ，２ｃ，……（以下、単に２と記すことがある）が設けられている。３は各階の床下に設置されて水道配管（図示せず）に接続された給水本管で、各住戸２にはこの給水本管３から分岐した給水管を介して蛇口その他の給水栓（図示せず）が設けられている。４は各住戸２ごとに給水本管３に設けられた減圧弁、５は同じくメータである。
【００１６】
６は複数の住戸２ごとに給水本管３から分岐して立設されたスプリンクラ消火設備用の立上り管で、上部には天井裏に配管された枝管７が接続されており、この枝管７には各住戸２ごとに火災検出手段を備えたスプリンクラヘッド１５が接続されている。
図３に上記のスプリンクラヘッド１５の一例を示す。１６はスプリンクラヘッドの本体（以下、本体という）で、感熱部であるグラスバルブ１７を天井板４５に設けた開口部４６から室内に突出させ、枝管７に設けた継手７ａに接続されている。２０は室内において本体１６を覆うカバーで、以下の説明では、本体１６とカバー２０を合わせてスプリンクラヘッド１５ということがある。
【００１７】
１９は一方の片がグラスバルブ１７を支持するフレーム１８に取付けられたほぼＬ字状のデフレクタで、スプリンクラヘッド１５の放水口から放水された消火水が室の全域に散水できるような形状になっている。
２１は金属材料からなりカバー２０を構成する取付部材で、円筒部とフランジ部とからなり、本体１６を囲繞してフランジ部が天井板４５の開口部４６の外周に固定されている。
【００１８】
２２は金属材料からなり取付部材２１と共にカバー２０を構成する有底円筒状のカバー部材で、取付部材２１に嵌合させ、グラスバルブ１７の破裂温度より低い温度で溶融する低融点合金（はんだ）により接合されている。なお、カバー部材２２は、熱気流等が内部に侵入し易いように網状に形成してもよく、あるいは複数の穴を設けてもよい。２３はデフレクタ１９とカバー部材２２との間に介装されたばねで、カバー部材２２を常時外方（取付部材２１から離れる方向）に付勢している。
【００１９】
２４は火災の発生を検知してその火災信号を後述の制御装置に送信する火災検出手段で、取付部材２１の円筒部の内壁に取付けたリードスイッチ２５と、カバー部材２２の外壁にリードスイッチ２５と対向して取付けられた永久磁石２６とからなり、リードスイッチ２５の可動接片は、永久磁石２６に吸引されて常時閉成している。
【００２０】
再び図１，図２において、８は住戸２外において立上り管６の基端側に接続され、モータ９によって開閉される常閉の起動弁、１０は住戸２外において起動弁８の上流側に接続された常開の止水弁、１１は住戸２外において起動弁８の下流側に接続された逆止弁である。
３１は各住戸２内に設置された住宅情報盤、３２は各住戸２の戸外（例えば玄関ドアの近傍）に設置された戸外表示器（ドアホン）で、住宅情報盤３１との間で信号をやりとりする。
３３は必要に応じて住戸外に設置される中継器、３４は例えば管理人室等に設置された住棟受信機で、各住宅情報盤３１との間で中継器３３を介して信号をやりとりする。
【００２１】
３５は立上り管６に対応して複数の住戸２ごとに起動弁８と共に戸外の近傍に設けられた制御装置、３６は制御装置３５に接続された非常用電源である。
この制御装置３５には、各住戸２のスプリンクラヘッド１５の火災検出手段２４からの信号線が接続されて、火災検出手段２４からの火災信号を受信し、また、各住宅情報盤３１と信号線で接続されて、制御信号を送出する。さらに、起動弁８のモータ９及び中継器３３とそれぞれ信号線で接続されて、制御信号を出力し、また、止水弁１０に接続されてその閉信号を受信する。
【００２２】
また、この制御装置３５には、図２に示すように、起動弁開表示灯３７、起動弁故障表示灯３８、回線状態灯（例えば、各住戸２ごとに３回線）３９、復旧スイッチ４０、試験スイッチ（表示灯つき）４１、止水弁閉表示灯４２等が設けられている。
【００２３】
次に、上記のように構成した本実施の形態の作用を説明する。
初期状態においては、止水弁１０は開放されており、制御装置３５を操作し又は手動により起動弁８を開放して、給水本管３内の水道水（圧力水）を立上り管６から逆止弁１１を経て枝管７に送水し、枝管７まで充水されたときは起動弁８を閉じる。これにより、監視時には給水本管３から起動弁８までは圧力水（水道水）が、また、逆止弁１１の二次側から枝管７まではほぼ無圧状態の水道水がそれぞれ充水されている。
また、各スプリンクラヘッド１５の火災検出手段２４を構成するリードスイッチ２５の可動接片は永久磁石２６に吸引されて閉じており、制御装置３５から常時又は間欠的に通電されている。
【００２４】
次に、火災発生時の作用を、図１〜図３及び図４のフローチャートを用いて説明する。
ある住戸（例えば２ａ）で火災が発生すると、その火炎あるいは熱気流によってスプリンクラヘッド１５の取付部材２１及びカバー部材２２が加熱され、その熱によって両者を接合している低融点合金が溶融し、カバー部材２２はばね２３の付勢力によって永久磁石２６と共に押し出され、落下する。これにより、リードスイッチ２５の可動接片が開放されるため、制御装置３５からリードスイッチ２５への通電が停止し、制御装置３４の住戸２ａの部分の回線状態灯３９が点灯する。なお、この状態は、スプリンクラヘッド１５が作動したことを示すものではなく、間もなく作動することを予告するものである。
【００２５】
このように、スプリンクラヘッド１５のカバー部材２２が落下すると、すなわち、スプリンクラヘッド１５の火災検出手段２４の状態が変化したときに出力される火災信号を受けて、制御装置３５は回線状態灯３９を点灯させ、ついで、起動弁８のモータ９、住宅情報盤３１及び住棟受信機３４にそれぞれ火災信号を送り、これによって起動弁８等は次の動作を開始する。
【００２６】
（１）起動弁８
制御装置３５から起動弁８のモータ９に火災信号（起動弁開放信号）を送出すると、これを受信した起動弁８が開放する。起動弁８には弁体の軸と対向してリミットスイッチが設けられ、その弁体が全開したときに軸の一部がリミットスイッチをＯＮするようになっているので、起動弁８が開放すると制御装置３５の起動弁開表示灯３７が点灯する。
若し、制御装置３５から起動弁８に弁開放信号を送出したのち、所定時間（例えば、１０〜２０秒間）経過してもリミットスイッチがＯＮされず起動弁８が作動しなかったとき（応答がなかったとき）は、制御装置３５は起動弁開表示灯３７の代りに起動弁故障表示灯３８を点灯させる。そして、制御装置３５は異常状態の発生を知らせる異常信号を中継器３３を介して住棟受信機３４に送信し、その表示部に設けられた図示しない起動弁故障表示灯を点灯させる。これを確認した管理人等は、火災現場に出向いて手動により起動弁８を開放する。起動弁８が開放されると圧力水が枝管７まで送水される。
【００２７】
（２）住宅情報盤３１
制御装置３５は、火災が発生した住戸２ａの住宅情報盤３１に火災信号を送信して表示器を点灯させ、住人に火災の発生を知らせると共に、住宅情報盤３１は戸外表示器３２に火災信号を送り、戸外表示器３２の表示部（ランプ）を点灯させる。これにより、集合住宅の住人はどの住戸でスプリンクラヘッド１５が作動するのか、云いかえると、スプリンクラヘッド１５の動作を事前に外部から識別することができる。
【００２８】
（３）住棟受信機３４
住棟受信機３４が制御装置３５から火災発生住戸のアドレス情報が付加された火災信号を受信すると、これに設けたスプリンクラヘッド１５の起動表示灯及び火災が発生した住戸の住戸番号を表示する。そして、住棟受信機３４は、火災の発生階及びその直上階の各住戸２の住宅情報盤３１に地区音響信号を出力すると共に、共用部のスピーカーにより、ブザーを鳴動させて火災の発生を知らせる。
【００２９】
ここで、火災が発生した住戸２ａの住宅情報盤３１には、制御装置３５からの火災信号と、住棟受信機３４からの地区音響信号との２つの信号が入力される。これにより、この住宅情報盤３１では、室内で本当に火災が発生しているものとして本火災の警報を行う。これに対して、火災階及び直上階にある他の住宅情報盤３１は、地区音響信号しか入力されていないため、近くの住戸で火災が発生したことを示す警報を行う。
【００３０】
前述のように、従来、住宅情報盤は火災感知器から火災信号を受信しても、火災感知器からの第１報では火災と判断しなかった。これは、火災感知器の誤報に対応した処理であり、住戸内の人間が住宅情報盤に設けた火災断定スイッチを押して、２報目の信号（火災断定信号）が入力されるか、又は数分間何の処理もなく、２報目の信号としてのタイムアップ信号が入力しないと火災と判断しないように遅延機能をもたせていた。
本実施の形態においては、低融点合金の溶融によって動作する火災検出手段２４を備えたスプリンクラヘッド１５を使用しているため、火災感知器に比べて動作の信頼性が高いので、火災が発生したときは制御装置３５から第１報目の信号を住宅情報盤３１に送り、また、住棟受信機３４から第２報目の信号（地区音響信号）を住宅情報盤３１に送出させることで、住宅情報盤３１は、スプリンクラヘッド１５のカバー部材２２が落下すると、すなわち、火災検出手段２４の状態が変化するとほぼ同時に２つの信号を受信することにより、直ちに火災が発生したことを判断することができる。
【００３１】
スプリンクラヘッド１５のカバー部材２２が落下してある程度経過すると、火炎あるいは熱気流によってグラスバルブ１７が破裂し、スプリンクラヘッド１５が開栓して消火水を放水し、消火する。鎮火が確認されると、図５のフローチャートに示すように制御装置３５の復旧スイッチ４０を操作する。
これにより、制御装置３５から起動弁８に起動弁閉信号が送られ、起動弁８が閉止し、制御装置３５の起動弁開表示灯３７が消灯する。また、住棟受信機３４のスプリンクラヘッド１５の起動表示灯が消灯し、火災階及び直上階の住宅情報盤３１及び共用部のスピーカーの鳴動が停止する。なお、この際、火災検出手段２４から再度信号が出力されないようにするために、電源を必要に応じて遮断しておくか、または、後述の止水弁１０を閉止してから新らしいスプリンクラヘッドと交換する。
【００３２】
このように、制御装置３５には、起動弁８が開放したときは起動弁開表示灯３７が点灯し、閉止したときは消灯する。また、起動弁８が作動しなかったときは起動弁故障表示灯３８が点灯するので、起動弁８の状態を容易かつ確実に確認することができる。また、起動弁８の状態は、住棟受信機３４にも表示されるので、万が一起動弁８が開放しなくても、管理人が現場に行って手動で開くことができる。
また、起動弁８は戸外において復旧スイッチを押すことで手動により閉止できる。このため、火災鎮火後に住戸内の人や付近の住民が直ちに起動弁８を閉じることができるので、火災鎮火後の水損を減らすことができる。
【００３３】
次に、止水弁１０の作用について説明する。前述のように、この止水弁１０は常開でかつ開閉を手動で行うようにしたものである。火災が鎮火したときは、前述のように制御装置３５の復旧スイッチ４０を操作することにより起動弁８が閉止し、スプリンクラヘッド１５からの放水を停止させる。しかしながら、このような操作を知っている人が付近に居ない場合は、鎮火しても依然としてスプリンクラヘッド１５から放水されるため、大きな水損を生じることになる。そこで、起動弁８の上流側に手動の止水弁１０を設けて、誰でも開閉できるようにしたものである。
【００３４】
この止水弁１０は、手動により閉じると、ハンドル（手動用のレバー）が本体に設けたリミットスイッチにあたって作動して閉信号を出力し、制御装置３５に送ってその止水弁閉止灯４２を点灯させる。これにより制御装置３５は住棟受信機３４に止水弁異常信号を送り、異常発生表示灯を点灯させる。これを知った管理人等が起動弁８を閉止すると共に止水弁１０を開放すると、制御装置３５の止水弁閉止灯４２及び住棟受信機３４の異常発生表示灯が消灯する。このように、止水弁１０が閉じられたときに異常表示するのは、止水弁１０は、通常時は開放状態にあるべきものであり、いたずらなどによって勝手に閉じられて、火災時に給水できなくなってしまう状態を防止するためである。
【００３５】
次に、本発明に係るスプリンクラ消火設備の点検手順の一例を、図６のフローチャートを用いて説明する。
先ず、制御装置３５の試験スイッチ４１をＯＮする（ステップＳ−１）。これにより、制御装置３５の３住戸２ａ，２ｂ，２ｃに対応した回線状態灯３９が３つとも点灯する（ステップＳ−２）。なお、このとき、住棟受信機３４は図示しない連動遮断スイッチを操作して制御装置３５との連動を遮断する。これにより、制御装置３５から火災信号を受信しても地区音響信号は出力されない。同様に、制御装置３５に設けた連動遮断スイッチを押しておくことで、住宅情報盤３１へ火災信号を出力させずにすむ。
【００３６】
また、制御装置３５の試験スイッチ４１をＯＮしたことにより、各スプリンクラヘッド１５のカバー部材２２の脱落信号（火災信号）の回路が短絡され（ステップＳ−３）、擬似的にカバー部材２２が落下して、火災検出手段２４のリードスイッチ２５の可動接片を開放した場合と同じ状態が作り出される。
これにより、制御装置３５は起動弁８に開信号を出力し、起動弁８を開放する（ステップＳ−４）。起動弁８が開放されたときは制御装置３５の起動弁開表示灯３７が点灯し（ステップＳ−５）また、住棟受信機３４のスプリンクラ起動表示灯が点灯する（ステップＳ−７）。
【００３７】
次に、制御装置３５の復旧スイッチ４０をＯＮすると（ステップＳ−８）、起動弁８に閉信号が入力して起動弁８が閉止する（ステップＳ−９）と共に、起動弁８は起動弁閉応答信号を制御装置３５に送出する（ステップＳ−１０）。これにより制御装置３５の起動弁開表示灯３７及び回線状態灯３９が消灯し（ステップＳ−１１、Ｓ−１２）また、住棟受信機３４のスプリンクラ起動表示灯が消灯する（ステップＳ−１３）。なお、このとき消灯する回線状態灯３９は、試験を行った住戸２ａの回線に対応した１つの回線状態灯３９だけである。そして、住戸２ａの回線の点検が終了したら、順次住戸２ｂ，２ｃと自動的に試験を行っていき、試験回線の残りがないとき、つまり、３つの住戸すべての回線を点検したら（ステップＳ−１４）、すべての試験が終了する。そして、このとき、すべての回線の試験が正常に終れば、回線状態灯３９はすべて消灯する。もしいずれかの回線に異常があれば、その回線に対応した回線状態灯３９だけ点滅する。
【００３８】
一方、ステップＳ−５で応答がないとき（起動弁開信号３７が点灯しなかったとき）は、制御装置３５はステップＳ−１５に進み、回線状態灯３９を点滅させると共にブザーを鳴動させ、また、起動弁故障表示灯３８を点灯させる。このとき、住棟受信機３４の異常信号灯が点灯するので（ステップＳ−１６）、試験を中止する。
また、ステップＳ−１０で制御装置３５から起動弁８に閉信号を出力しても起動弁開表示灯３７が消灯しなかったときは、上記と同様にステップＳ−１５に進み回線状態灯３９を点滅させると共にブザーを鳴動させ、また起動弁故障表示灯３８を点灯させるなどして試験を中止する。
なお、ステップＳ−１４で試験回路の残りがあるときは、ステップＳ−１に戻って残った回路につき前記の試験を行う。
【００３９】
このように、起動弁８の点検を行う場合も、制御装置３５によって起動弁８の開放及び閉止を行うことができ、住棟受信機３４からの制御は不要なので、点検が容易である。特に、制御装置３５は複数の住戸ごとに設けられているので、１フロアに１人の点検作業者を配置すれば、集合住宅全体の点検を速やかに行うことができる。また制御装置３５や起動弁８は、住戸の外のメータボックスなどに設けられるので、住戸内に入ることなく点検することができる。
また、起動弁８の点検時に、制御装置３５により開閉の応答をみることができ、応答信号がないときは起動弁故障表示灯３８を点灯させるようにしたので、起動弁８の故障を一目で確認することができる。
【００４０】
［実施の形態２］
実施の形態１では、火災検出機能を備えたスプリンクラヘッドを使用した場合を示したが、本実施の形態は、スプリンクラヘッドと別個に火災検出手段としての火災感知器を設けたもので、この場合は、火災検出手段の火災信号を制御装置３５に送出するようにすればよい。
その他の作用効果は、実施の形態１の場合と同様である。
【００４１】
上記の説明では、図３により火災検出手段２４を有するスプリンクラヘッド１５を説明したが、本発明はこれに限定するものではなく、他の構造又は方式の火災検出手段、例えば、カバーの落下をリミットスイッチなどで検出するようにしたスプリンクラヘッドを用いてもよい。また、本発明は集合住宅ではなく、戸建ての住宅にも実施することができる。
【００４２】
【発明の効果】
本発明に係るスプリンクラ消火設備によれば、火災が発生したときは、短時間で確実に起動弁を開放することができる。
また、火災が鎮火したときは、住戸内の人又は付近の住民が直ちに起動弁を閉じることができ、火災鎮火後の水損を減らすことができる。さらに、起動弁の開放及び起動弁及び止水弁が正常に閉止したかを容易に確認することができる。
【図面の簡単な説明】
【図１】  本発明の実施の形態１に係る集合住宅におけるスプリンクラ消火設備の説明図である。
【図２】  図１の一部拡大図である。
【図３】  図１のスプリンクラヘッドの一例の説明図である。
【図４】  実施の形態１の火災発生時の作用を説明するためのフローチャートである。
【図５】  実施の形態１の鎮火時の作用を説明するためのフローチャートである。
【図６】  実施の形態１の点検手順を説明するためのフローチャートである。
【符号の説明】
１  集合住宅のある階の一部を示す、２  住戸、３  給水本管、６  立上り管、７  枝管、８  起動弁、１０  止水弁、１１  逆止弁、１５  火災検出手段を備えたスプリンクラヘッド、２４  火災検出手段、３１  住宅情報盤、３２  戸外表示器、３３  中継器、３４  住棟受信機、３５  制御装置、３７  起動弁表示灯、３８  起動弁故障表示灯、３９  回線状態灯、４０  復旧スイッチ、４１  試験スイッチ、４２  止水弁閉表示灯。
【図１】
0004253756.tif 000002
【図２】
0004253756.tif 000003
【図３】
0004253756.tif 000004
【図４】
0004253756.tif 000005
【図５】
0004253756.tif 000006
【図６】
0004253756.tif 000007